(57)【特許請求の範囲】
【請求項１】
カメラ本体内に格納され、前記カメラ本体内の駆動源によって駆動されるように構成されている鏡胴と、前記鏡胴の前面である閉位置と、前記閉位置から退避した開位置との間を移動することができ、前記鏡胴が前記カメラ本体内に格納されているときに前記閉位置に位置し、前記鏡胴が前記カメラ本体から繰り出される前に前記開位置に移動する、バリアとを備え、前記鏡胴には、前記鏡胴とともに移動可能で、前記鏡胴がカメラ本体に格納されているときには、前記バリアの移動を阻止しない位置にあり、前記鏡胴がカメラ本体から繰り出されると、前記バリアが前記鏡胴に接触できないように、前記バリアの移動を阻止する位置に移動する、阻止部材が設けられているカメラにおいて、
前記バリアには、導電性を有する第１の導通部が設けられ、前記カメラ本体には、前記第１の導通部と接触することができ、導電性を有する第２の導通部が設けられ、前記第１の導通部と前記第２の導通部が接触すると、前記駆動源によって、前記鏡胴が前記カメラ本体から繰り出され、前記第１の導通部と前記第２の導通部が接触している状態から、離間すると、前記駆動源によって、前記鏡胴が前記カメラ本体内に格納され、前記第１の導通部と前記第２の導通部は、前記バリアが前記閉位置から前記開位置に移動するときは、前記バリアがほぼ前記開位置に達したときに、接触し、前記バリアが前記開位置から前記閉位置に移動するときは、前記バリアが、前記開位置からわずかに前記閉位置側に移動したときに、離間する構成であって、
前記第２の導通部は、一対の導通部材からなり、前記一対の導通部材は、互いに接近するように付勢部材によって付勢されていて、前記第１の導通部は、前記一対の導通部材のそれぞれと、同時に接触できる形状であり、前記バリアには、バリアの移動の方向に沿って形成されていて、前記一対の導通部を案内する、２列の案内路が設けられていて、前記２列の案内路は、前記バリアの前記開位置と前記閉位置間の移動における、動き始めと動き終わりの際に、前記一対の導通部材同士が互いに離れていき、その後、互いに接近するように動作しなければならない、形状であることを特徴とするカメラ。
【請求項２】
前記バリアが前記開位置から前記閉位置に移動するときの、動き始めにおいて、前記一対の導通部材同士が離れていき、その後、互いに接近し始めたときに、前記第１の導通部と前記一対の導通部材は離間し、前記阻止部材は、前記第１の導通部と離間した直後の、前記一対の導通部材同士の接近を阻止できる位置にあり、前記鏡胴がカメラ本体に格納されると、前記一対の導通部材の接近を阻止しない位置に移動することを特徴とする請求項１に記載のカメラ。
【発明の詳細な説明】
【０００１】
【発明の属する技術分野】
本発明は、カメラ本体内に格納されている鏡胴を保護するためのバリアを備えるカメラに関する。
【０００２】
【従来の技術】
撮影レンズが組み込まれた鏡胴が内蔵されているタイプのカメラでは、撮影レンズを保護するために、鏡胴の前面にアウターバリア（以下、バリアという）が設けられていることがある。このようなカメラでは、鏡胴がカメラ本体から繰り出されている間、バリアが鏡胴の方に向かって移動しないように、バリアの動きをロックするロック機構が設けられていて、鏡胴とロック機構の動作については、１つの操作で済むように工夫されていた。
【０００３】
【発明が解決しようとする課題】
しかし、それでも、バリア付きカメラにおいては、撮影する前には、まず、バリアを鏡胴の前面から退避させてから次に鏡胴を繰り出し、撮影終了後には鏡胴をカメラ本体内に繰り込んでからバリアを鏡胴の前面に戻す操作を行うことから、操作が煩雑であった。
【０００４】
一方、カメラは単に操作が簡単であればよいというものではなく、娯楽的な要素の強いカメラにとっては、使用者がカメラの状態を把握しつつ、操作しているという実感を味わえることも、重要である。
【０００５】
上記の問題点に鑑み、本発明の目的は、バリアと、鏡胴が繰り出されているときにバリアの動きを阻止する機構とを備え、操作が簡単である、カメラを提供することにあり、さらに、このようなカメラにおいて、使用者の操作上の実感を満足させることができるようなカメラを提供することを目的とする。
【０００６】
【課題を解決するための手段】
以上の課題を解決すべく、本発明の請求項１に記載の発明は、カメラ本体内に格納され、前記カメラ本体内の駆動源によって駆動されるように構成されている鏡胴と、前記鏡胴の前面である閉位置と、前記閉位置から退避した開位置との間を移動することができ、前記鏡胴が前記カメラ本体内に格納されているときに前記閉位置に位置し、前記鏡胴が前記カメラ本体から繰り出される前に前記開位置に移動する、バリアとを備え、前記鏡胴には、前記鏡胴とともに移動可能で、前記鏡胴がカメラ本体に格納されているときには、前記バリアの移動を阻止しない位置にあり、前記鏡胴がカメラ本体から繰り出されると、前記バリアが前記鏡胴に接触できないように、前記バリアの移動を阻止する位置に移動する、阻止部材が設けられているカメラにおいて、前記バリアには、導電性を有する第１の導通部が設けられ、前記カメラ本体には、前記第１の導通部と接触することができ、導電性を有する第２の導通部が設けられ、前記第１の導通部と前記第２の導通部が接触すると、前記駆動源によって、前記鏡胴が前記カメラ本体から繰り出され、前記第１の導通部と前記第２の導通部が接触している状態から、離間すると、前記駆動源によって、前記鏡胴が前記カメラ本体内に格納され、前記第１の導通部と前記第２の導通部は、前記バリアが前記閉位置から前記開位置に移動するときは、前記バリアがほぼ前記開位置に達したときに、接触し、前記バリアが前記開位置から前記閉位置に移動するときは、前記バリアが、前記開位置からわずかに前記閉位置側に移動したときに、離間する構成であって、
前記第２の導通部は、一対の導通部材からなり、前記一対の導通部材は、互いに接近するように付勢部材によって付勢されていて、前記第１の導通部は、前記一対の導通部材のそれぞれと、同時に接触できる形状であり、前記バリアには、バリアの移動の方向に沿って形成されていて、前記一対の導通部を案内する、２列の案内路が設けられていて、前記２列の案内路は、前記バリアの前記開位置と前記閉位置間の移動における、動き始めと動き終わりの際に、前記一対の導通部材同士が互いに離れていき、その後、互いに接近するように動作しなければならない、形状であることを特徴とする。
【０００７】
請求項１に記載のカメラによれば、カメラ本体内に格納された状態の鏡胴の前面である、閉位置にあるバリアが、開位置に移動すると、バリアに設けられている第１の導通部と、カメラ本体に設けられている第２の導通部が接触して、カメラ本体内の駆動源によって、鏡胴がカメラ本体から繰り出される。また、バリアが開位置から閉位置に戻るときには、バリアが、開位置からわずかに閉位置側に移動すると、第１及び第２の導通部は離間し、駆動源によって、前記鏡胴が前記カメラ本体内に格納される。
しかも、鏡胴が繰り出されれば、バリアが鏡胴に接触できないように、バリアの移動を阻止する位置に、阻止部材も移動する。
したがって、バリアが移動すると、それに応じて、鏡胴も、阻止部材をともなって、カメラ本体から繰り出されたり、逆に格納されたりすることから、使用者はバリアの開閉のみ行うだけで、鏡胴も、阻止部材も駆動することができるので、操作が簡単になる。
【０００８】
ここで、バリアの移動は手動であってもよいし、スイッチ等を操作して自動で行われるように構成してもよい。
また、第１の導通部と、第２の導通部は、いずれも導電性を有する材料からなるもので、一部に導電性を有しない部分が設けられていてもよいし、複数の部材からなるものでもよい。さらに、これらの具体的な形状や構造、あるいは取り付け位置は、全く任意であり、要は、バリアの移動によって、接触または離間し、前記駆動源の動作を制御するような、スイッチとして機能できればよい。
また、駆動源は、電気的に制御され得るもので、たとえば、モータや電磁石等が挙げられる。
【００１０】
また、請求項１に記載のカメラによれば、第２の導通部と、バリアそのものに形成した案内部を利用して、バリアの移動の方向がガイドされるので、バリアの動作がスムーズなものとなる。
【００１１】
ここで、バリアに形成される案内部は、たとえば、細長い凹部であって、バリアが、左右に摺動する場合には、直線的に形成し、回動するように構成した場合には、円弧状に形成すればよい。また、必要に応じて複数の溝からなるように形成してもよい。
【００１３】
更に、請求項１に記載のカメラによれば、第２の導通部を構成する一対の導通部材は、互いに接近するように付勢部材によって付勢されていて、バリアに形成されていて、一対の導通部材を案内する２列の案内路は、バリアの移動の動き始めと動き終わりの際に、前記一対の導通部材同士が離れていき、その後、互いに接近するように動作しなければならない、形状であることから、たとえば、使用者が、バリアを、閉位置から開位置に向かってバリアを手動で動かそうとすると、まず、一対の導通部材同士が離れるように動作させるべく、使用者は付勢部材の付勢力に抗する、力をいれなければならず、やや抵抗を感じる。しかし、その後は、互いに接近するように動作させればよいので、前記付勢部材の付勢力を利用することができるので、使用者は抵抗感から解放される。バリアが、ほぼ開位置まで達したときも、同様に、使用者は抵抗を感じ、次にその抵抗から解放されるように感じる。バリアを開位置から閉位置に戻すときも同様である。したがって、バリアの操作の際に、使用者が付勢部材に抗する、意識的な力を加えない限り、バリアは動き出さず、また、動き終わりについても、少し抵抗感を感じてから、その後、その抵抗感から解放されるので、閉あるいは開位置に達したことを実感できる。また、カメラの側から見れば、動き始めや動き終わりに付勢部材に抗する力が必要であることから、安易にバリアが開閉されたりすることがない。
【００１４】
請求項２に記載の発明は、請求項１に記載のカメラにおいて、前記バリアが前記開位置から前記閉位置に移動するときの、動き始めにおいて、前記一対の導通部材同士が離れていき、その後、互いに接近し始めたときに、前記第１の導通部と前記一対の導通部材は離間し、前記阻止部材は、前記第１の導通部と離間した直後の、前記一対の導通部材同士の接近を阻止できる位置にあり、前記鏡胴がカメラ本体に格納されると、前記一対の導通部材の接近を阻止しない位置に移動することを特徴とする。
【００１５】
請求項２に記載のカメラによれば、バリアを開位置から閉位置に動かそうとすると、バリアの案内路によって案内されている、一対の導通部材同士がまず離れていき、その後、互いに接近し始めたときに、第１の導通部と一対の導通部材が離間するので、このとき鏡胴がカメラ本体内に繰り込まれ始める。その直後、阻止部材によって一対の導通部材同士の接近が阻止されることから、一対の導通部材が互いに接近し始める位置に対応する位置で、バリアの移動も、阻止されることになる。鏡胴がカメラ本体に格納されれば、阻止部材は、一対の導通部材同士の接近を阻止しない位置に移動するので、バリアの閉位置方向への移動は阻止されない。つまり、鏡胴が繰り出されている間は、バリアは、カメラ本体の一対の導通部材を介して、間接的に移動を阻止され、バリアによって鏡胴が傷つけられたりすることを、防ぐことができる。
【００１６】
【発明の実施の形態】
以下、本発明のカメラについて、図面に基づいて説明する。
図１及び図２は、本発明のカメラの実施の形態の一例を示すものである。
【００１７】
このカメラは撮影レンズを内蔵するタイプのカメラで、カメラ本体１内のほぼ中央に設けられている円筒状の固定環２（図１０）の内部に鏡胴３が組み込まれている。鏡胴３は、外環４や移動環５などの複数の円筒状の環が重なってなるもので、内側に図示しない撮影レンズが取り付けられていて、撮影レンズの光軸方向に平行して前後に移動可能となっている。カメラ本体１には、図示しない駆動モータ（駆動源）が設けられ、後述するメインスイッチがＯＮになると、前記駆動モータが作動することによって、鏡胴３はカメラ本体１から繰り出され、逆に、メインスイッチがＯＮからＯＦＦになると、再び駆動モータが作動することによって、繰り込まれてカメラ本体１内に格納されるようになっている。
【００１８】
図１に示すように、カメラ本体１の鏡胴３の前面には、平板状のバリア８が設けられている。バリア８は、撮影しないときには鏡胴３の前面にあって（閉位置）、これを保護する。バリア８は、その裏面に形成されている、図示しないガイド等によって、左右に摺動可能な状態で、カバー３０にはめ込まれている。そして、手動で、右方向に、図２に示す位置まで移動させることによって、鏡胴３の前面から退避するようになっている。
バリア８は、この退避の際に、後述する、金属辺１２ｂ、１２ｂが、導通ピン１６、１７によって押されて、突条の一部９ａと当接すると、それ以上は摺動できず、所定の位置（開位置）で停止するようになっている。
【００１９】
バリア８の裏面には、図３（ａ）に示すように、突条９及び１０によって画成される、２つのガイド溝（案内路）１１、１１が形成されている。ガイド溝１１、１１は、互いにほぼ平行に形成されているが、左右端は、互いに離間するような形状となっている。
図３において、突条１０、１０の左端近傍には、突起１０ａ、１０ａが形成されている。また、図４に示すように、突条１０、１０の右端部は、それぞれ、２つの角１０ｂ、１０ｃが形成されるような形状となっている。
【００２０】
また、ガイド溝１１、１１の右端部には、切片１２（第１の導通部）が取り付けられている。切片１２は、支持部１２ａと、金属片１２ｂ、１２ｂとからなり、支持部１２ａが突条１０、１０の間にねじ１３、１３によって固定された状態で、バリア８に対して取り付けられている（図３（ｂ））。細い板状である、金属片１２ｂ、１２ｂは、支持部１２ａの一端から上下方向に延出し、突条１０、１０の右端の角１０ｃ、１０ｃに略当接している。金属片１２ｂ、１２ｂは、図４の仮想線で示すように、突条９の一部９ａに当接するまで、右方に撓み可能になっている。
【００２１】
図５及び図６に示すように、カバー３０の裏面には、第１可動レバー１４と、第２可動レバー１５（一対の導通部材）が、上下に並ぶように、取り付けられている。図５は、これらレバー１４及び１５を、カバー３０を取り外した状態で示している。
第１可動レバー１４及び第２可動レバー１５は、どちらも、導電性を有する材料から形成されていて、これらの側部には、図７、８に示すように、圧入またはカシメ等によって、導電性を有する導通ピン１６、１７が取り付けられている。第１可動レバー１４と第２可動レバー１５は、どちらも、図示しない１つの回路基板に電気的に接続されていて、導通ピン１６と導通ピン１７間が導通状態になると、前記回路基板に設けられている前記メインスイッチがＯＮ状態になるように構成されている。また、導通ピン１６と１７間が導通状態から非導通状態になると、メインスイッチはＯＦＦになるようになっている。
導通ピン１６、１７は、カバー３０に形成されている、略矩形状の穴３０ａ、３０ａを挿通していて、第１可動レバー１４及び第２可動レバー１５の移動は、ピン１６、１７が穴３０ａ、３０ａに沿うことによって、上下方向にのみであるように規制されている。
【００２２】
また、図７及び図８に示すように、第１可動レバー１４と、第２可動レバー１５の裏面には、バネ掛け１４ａ、１５ａが設けられている。これらバネ掛け１４ａ、１５ａにレバーバネ１８が掛けられ、レバーバネ１８によって、レバー１４及び１５は、互いに接近する方向に付勢されている。
ところで、バネ掛け１４ａ及び１５ａは、レバーバネ１８を介してレバー１４及び１５が導通してしまわないようになっている。この実施の形態では、第１可動レバー１４のバネ掛け１４ａを絶縁性の材料から形成し、一方、第２可動レバー１５のバネ掛け１５ａについては、レバー１５それ自体に立ち曲げ部を形成し、バネ掛け１５ａとした。
【００２３】
導通ピン１６、１７は、前述の２つのガイド溝１１、１１にはめ込まれていて、バリア８が摺動することによって、上下方向に動きつつ、ガイド溝１１、１１内を相対的に移動する。導通ピン１６、１７の上下方向の移動は、互いに近接する方向には、レバーバネ１８の付勢力によって、外力がなくてもスムーズに行われるが、離間する方向にはレバーバネ１８の付勢力に抗する力を加えられなければならない。
つまり、バリア８を動かす使用者は、バリア８の裏面にはめ込まれている導通ピン１６、１７が離間していくような動きをバリア８にさせる場合には、レバーバネ１８に抗する力を加えなければならないようになっている。
【００２４】
導通ピン１６、１７は、バリア８が閉位置にあるとき、ガイド溝１１、１１の右端（図５）にはめ込まれた状態である。このときの導通ピン１６、１７の位置を図３で説明すれば、突起１０ａ、１０ａの外側である。このとき、図９（ａ）に示すように、ピン１６と１７間が非導通状態であり、メインスイッチはＯＦＦである。
【００２５】
バリア８が閉位置から開位置近傍まで移動してくると、導通ピン１６、１７は、まず、突条１０、１０の外側の角１０ｂ、１０ｂに当接し（図４のＣの位置）、切片１２の金属片１２ｂ、１２ｂに接触するようになっている。このとき、導通ピン１６、１７間が導通状態になり、メインスイッチがＯＮになる（図９（ｂ））。
ピン１６、１７が、金属辺１２ｂ、１２ｂが突条９の一部９ａと当接する、Ｄの位置まで達すると、バリア８は、それ以上移動できないようになっている。
バリア８が開位置から閉位置に戻るとき、ピン１６、１７が金属片１２ｂ、１２ｂから離れると、メインスイッチはＯＦＦになり、鏡胴３が、カメラ本体１内に引き込まれるようになっている。ピン１６、１７は、レバーバネ１８の付勢力によってＢの位置までは、接近することができるが、後述するように、ロック部材６が第１可動レバー１４と第２可動レバー１５の間から、完全に外れないと、それ以上は接近できず、すなわち、ピン１６，１７がＢの位置にある状態で、バリア３の移動は阻止されることになる。
【００２６】
このカメラは、鏡胴３がカメラ本体１から繰り出されているときに、バリア８が閉じられないようにするため、バリア８の動作をロックする、ロック部材（阻止部材）６が、図１０に示すように、固定環２の外側面近傍に設けられている。
【００２７】
このロック部材６は、長尺な板部材であって、前部分がクランク状に折れ曲がっていて、その上下方向の幅は、導通ピン１６及び１７が図４のＢの位置にあるときの、第１可動レバー１４と第２可動レバー１５の側部の間隔とほぼ同じ長さであって、先端部６ａがレバー１４及び１５の間に入り込めば、両者が接近するのを妨げることができるようになっている。
【００２８】
ロック部材６には、Ｌ字型の係止部６ｂが形成されていて、この係止部６ｂに、バネ７の一端部が掛けられている。バネ７の他端部は、カメラ本体１の図示しない係止ピンに掛けられていて、これにより、ロック部材６は、バネ７によって、前方に付勢されている。
【００２９】
ロック部材６の後端には、鏡胴３側に向かって折れ曲がっている、当接部６ｃが形成されていて、この当接部６ｃは、鏡胴３がカメラ本体１内に格納されているときには、鏡胴３の移動環５の後端によって、当接されるようになっている。これによって、バネ７の付勢力に抗して、ロック部材６は、レバー１４と１５の間から退避した位置で固定される。また、鏡胴３がカメラ本体１から繰り出され、て、移動環５が前方に移動すると、ロック部材６は、前方の移動を阻止されなくなるので、バネ７の付勢力によって、前方に移動し、レバー１４と１５との間に入り込んで、カバー３０に当接して、停止するようになっている（図６（ｂ）の状態）。
再び、鏡胴３がカメラ本体１に格納されるときには、ロック部材６は、移動環５の後端によって当接部６ｃが当接されて、バネ７の付勢力に抗して、後方に押され、元の位置に戻るようになっている。
【００３０】
以上の構成を有するカメラの動作について説明する。
（１）バリアを開位置に移動させるとき
使用者が、図１、図５の状態から、バリア８を開状態にすべく、右方向に力を加えると、導通ピン１６、１７が突起１０ａ、１０ａに当接して、少し抵抗を感じる。しかし、さらに力を加えると、レバー１４、１５が互いに離れる方向に上下動し、導通ピン１６、１７が突起１０ａ、１０ａを乗り越える。このとき、使用者は、前記の抵抗から解放され、バリア８の動作が軽くなったように感じる。
導通ピン１６、１７が一旦突起１０ａ、１０ａを越えてしまえば、レバーバネ１８の付勢力によって、自然に、導通ピン１６、１７はガイド溝１１、１１に沿って互いに接近する方向に上下動し、バリア８も自然に右方向に移動する。
さらに、使用者が軽く右方向にバリア８を押せば、そのまま、バリア８は摺動する。導通ピン１６、１７は、相対的にガイド溝１１、１１内を通って、切片１２が取り付けられている方向へ近づいていく。
【００３１】
導通ピン１６、１７の位置が図４のＡの位置まで達すると、ガイド溝１１、１１が互いに離間する形状となっていることから、使用者はレバーバネ１８の付勢力に抗するように少し力を入れると、導通ピン１６、１７は互いに離れていき、バリア８はさらに右に摺動する。
導通ピン１６、１７が、突条１０、１０の角１０ｂ、１０ｂに達すると、金属片１２ｂ、１２ｂに接触し、このとき、第１可動レバー１４及び第２可動レバー１５を介して、メインスイッチがＯＮになり、駆動モータが作動し、鏡胴３がカメラ本体１から繰り出される。
鏡胴３が繰り出されると、ロック部材６は、バネ７の付勢力によって前進し、その先端部６ａは、第１可動レバー１４と第２可動レバー１５の間に入り込む（図６（ｂ））。
突条１０、１０の先端が、右斜め方向に傾斜しているので、バリア８を軽く右方向に押せば、レバー１４、１５はレバーバネ１８の付勢力によって容易に近づき、導通ピン１６、１７は、角１０ｂ、１０ｂを越えながら、金属片１２ｂ、１２ｂを更に押し、金属片１２ｂ、１２ｂが突条９の一部９ａに当接したところで、バリア８は停止し、開位置に達し、図２の状態になる。
【００３２】
（２）バリアを閉位置に戻すとき
使用者が、図２の状態からバリア８を閉じるべく、バリア８に対して左方向に力を加えると、導通ピン１６及び１７は、図４のＣの位置まで戻る。このとき、使用者は、レバーバネ１８の付勢力に抗して第１可動レバー１４と第２可動レバー１５間が離れるように、力を加えることから、少し抵抗を感じるが、Ｃの位置に達すれば、その先は、ガイド溝１１、１１の形状が、レバー１４と１５が互いに近づいていく形状なので、レバーバネ１８の付勢力を利用することができ、使用者は抵抗感から解放される。
導通ピン１６、１７は、Ｃ位置から下り始めると、金属片１２ｂ、１２ｂから、離間し、これによって、メインスイッチがＯＦＦ状態になる。
メインスイッチがＯＦＦになると、駆動モータが作動し、鏡胴３がカメラ本体１内に繰り込まれ始める。バリア８は、レバーバネ１８の付勢力によって左方向に進むが、導通ピン１６，１７がＢ位置に達すると、ロック部材６によって第１可動レバー１４と第２可動レバー１５の接近が阻まれている間は、停止させられ、鏡胴３が繰り込まれ、それと共に、ロック部材６も、移動環５に押されて後方に移動し、第１可動レバー１４と第２可動レバー１５との間からはずれれば、レバーバネ１８の付勢力によって左方向に移動する。さらに、使用者が軽く左方向に押すと、導通ピン１６、１７が相対的にガイド溝１１、１１に沿って移動しながら、バリア８は摺動する。
バリア８が閉位置に近づくと、ガイド溝１１、１１は互いに離れていくような形状であることから、使用者がレバーバネ１８の付勢力に抗する力を加えることによって、バリア８はさらに左方に移動する。ピン１６、１７が突起１０ａ、１０ａを越えれば、レバーバネ１８の付勢力によって、使用者は抵抗から解放され、導通ピン１６、１７が元の位置に戻り、バリア８は図１の状態になる。
【００３３】
以上のカメラによれば、バリア８が移動すると、それに応じて、鏡胴３も、ロック部材６をともなって、カメラ本体１から繰り出されたり、逆に格納されたりすることから、使用者はバリア３の開閉のみ行えば、鏡胴３も、バリア８の動きを阻止するロック部材６も駆動することができるので、操作が簡単になる。
また、導通ピン１６、１７と、バリア８そのものに形成した溝１１、１１を利用して、バリア８の移動の方向がガイドされるので、バリア８の動作がスムーズなものとなる。
【００３４】
さらに、使用者が、バリア８を、閉位置から開位置に向かってバリア８を手動で動かそうとするとき、まず、第１可動レバー１４及び第２可動レバー１５が互いに離れるように動作させるべく、使用者はレバーバネ１８の付勢力に抗して、力をいれなければならず、やや抵抗を感じる。しかし、その後は、レバーバネ１８の付勢力を利用することができるので、使用者は抵抗感から解放される。バリア８が、ほぼ開位置まで達したときも、同様に、使用者は抵抗を感じ、次にその抵抗から解放される。バリア８を開位置から閉位置に移動させるときも同様である。
したがって、バリア８の操作の際に、レバーバネ１８に抗する意識的な力を加えない限り、バリア８は動き出さず、また、動き終わりについても、少し抵抗感を感じてから、その抵抗感が解放されるので、閉あるいは開位置に達したことを実感できる。したがって、使用者の、カメラの状態を確認しつつ操作しているという実感を満足させることができる。
また、カメラの側から見れば、動き始めや動き終わりにレバーバネ１８に抗する力が必要であることから、安易にバリア８が開閉されたりすることがなく、不注意等によって撮影レンズが傷ついたりすることはない。
【００３５】
加えて、鏡胴３が繰り出されている間は、バリア８は、カメラ本体１の導通ピン１６及び１７を介して、間接的に移動を阻止され、バリア８によって鏡胴３が傷つけられたりすることを、防ぐことができる。
【００３６】
なお、上記実施の形態において、カメラの各部の大きさ、形状等は適宜変更可能であり、具体的な細部構造についても任意であることは勿論である。
たとえば、バリアは摺動することによって鏡胴の前面から退避するようにしたが、回転移動するように構成してもよいし、また、ロック部材は第１可動レバー及び第２可動レバーの動作を阻止することによってバリアの動作を阻止するように構成したが、直接バリアの動作を阻止するように構成してもよい。
【００３７】
【発明の効果】
請求項１に記載の発明によれば、バリアが移動すると、それに応じて鏡胴もカメラ本体から繰り出されたり、逆に格納されたりすることから、使用者はバリアの開閉のみ行えばよく、操作が簡単になる。
【００３８】
また、請求項１に記載の発明によれば、第２の導通部と、バリアそのものに形成した案内部を利用して、バリアの移動の方向がガイドされることになるので、バリアの動作が、より一層、スムーズなものとなる。
【００３９】
更に、請求項１に記載の発明によれば、バリアの操作の際に、使用者が、付勢部材に抗する、意識的な力を加えない限り、バリアは動き出さず、また、動き終わりについても、少し抵抗感を感じ、その後、その抵抗感から解放されて閉あるいは開位置に達したことを実感できるので、使用者のカメラの状態を把握しつつ、操作しているという実感を満足させることができる。
【００４０】
請求項２に記載の発明によれば、請求項１に記載の発明の効果に加えて、阻止部材によって、鏡胴の繰り出し時にはバリアの移動がロックされ、バリアによって鏡胴が傷つけられたりすることを、防ぐことができる。
【図面の簡単な説明】
【図１】本発明のカメラの一例を示すもので、バリアが閉位置にあるときのカメラの正面図である。
【図２】本発明のカメラの一例を示すもので、バリアが開位置にあるときのカメラの正面図である。
【図３】バリアの裏面を説明するための図で、（ａ）は裏面の平面図で、（ｂ）はバリアのほぼ中央部の一部断面図である。
【図４】バリアの裏面の一部を拡大した図である。
【図５】バリアが閉位置にあるときの、バリアと、第１可動レバーと第２可動レバーの位置関係をカバーを外した状態で、示している。
【図６】第１可動レバー及び第２可動レバーを示す要部縦断面図であり、（ａ）はレバーバネが掛けられている状態を示し、（ｂ）はロック部材が両レバーの間に入り込んでいる様子を示している。
【図７】第１可動レバーを示したもので、（ａ）は裏面を示す平面図で、（ｂ）は側面図である。
【図８】第２可動レバーを示したもので、（ａ）は裏面を示す平面図で、（ｂ）は側面図である。
【図９】図１のカメラの電気的な接続の関係を模式的に示したもので、（ａ）は非導通状態、（ｂ）は導通状態を示している
【図１０】ロック部材を説明するための一部断面図であり、紙面下がカメラの正面側、上がカメラの背面側である。
【符号の説明】
１        カメラ本体
２        固定環
３        鏡胴
４        外環
５        移動環
６        ロック部材
８        バリア
９、１０    突条
１０ａ      突起
１１、１１  ガイド溝（案内路）
１２      切片（第１の導通部）
１２ｂ、１２ｂ  金属片
１４    第１可動レバー（導通部材）
１５    第２可動レバー（導通部材）
１６、１７    導通ピン
１８    レバーバネ（付勢部材）
３０    カバー
【図１】
0004102476.tif 000002
【図２】
0004102476.tif 000003
【図３】
0004102476.tif 000004
【図４】
0004102476.tif 000005
【図５】
0004102476.tif 000006
【図６】
0004102476.tif 000007
【図７】
0004102476.tif 000008
【図８】
0004102476.tif 000009
【図９】
0004102476.tif 000010
【図１０】
0004102476.tif 000011